(57)【要約】  【課題】断熱箱体天面に圧縮機を配設した冷蔵庫の転倒防止を図ることができる冷蔵庫を提供する。  【解決手段】断熱箱体１の天面部に備えられた圧縮機１６は、複数の脚１６ａを介して天面部に備えられて、断熱箱体１の下面に備えられたキャスターのうち断熱箱体の最も背面側に備えられた後輪キャスター３５は、断熱箱体１の背面断熱壁もしくは側面断熱壁の少なくとも一方の最も後方側に備えられた固定部材４２に取り付けられた位置することにより、断熱箱体１の天面に圧縮機１６を配設した、本体の重心が高い冷蔵庫の不安定性を軽減し、転倒防止を図ることができる。【選択図】図１
2006194575.tif 000002
【特許請求の範囲】
【請求項１】
断熱箱体と、前記断熱箱体の天面部の後方側に設けた凹み部と、前記凹み部内に備えられた圧縮機と、前記断熱箱体の下部に備えられ前記断熱箱体の重量を支えるとともに前記断熱箱体を設置面に対して水平方向に移動可能とする複数のキャスターとを有し、前記複数のキャスターのうち前記断熱箱体の最も後方側に備えられたキャスターは、前記断熱箱体の背面断熱壁もしくは側面断熱壁の少なくとも一方の最も後方側に備えられた固定部材に取り付けられた冷蔵庫。
【請求項２】
断熱箱体は少なくとも二つ以上の断熱区画を設けてあり、最下部の断熱区画が引き出し式の最下段貯蔵室である請求項１に記載の冷蔵庫。
【請求項３】
断熱箱体の最も後方側に備えられたキャスターを軸支する固定部材が前記断熱箱体の背面断熱壁内の鉛直面に取り付けられた請求項１または２に記載の冷蔵庫。
【請求項４】
キャスターを軸支する固定部材が断熱箱体の側面断熱壁の最も後方側の前記側面断熱壁から背面断熱壁に渡って一体として形成された請求項３に記載の冷蔵庫。
【請求項５】
キャスターを軸支する固定部材が前記断熱箱体の背面断熱壁と側面断熱壁が交差するコーナー部の鉛直面に渡って取り付けられた請求項４に記載の冷蔵庫。
【請求項６】
キャスターを取り付ける補強部材を前記断熱箱体の中に取り付け、断熱材と一体発泡した請求項１から５のいずれか一項に記載の冷蔵庫。
【請求項７】
キャスターを取り付ける補強部材を前記断熱箱体の外側に取り付けたことを特徴とする請求項１から６のいずれか一項に記載の冷蔵庫。
【請求項８】
キャスターは前輪キャスターもしくは後輪キャスターの対を一体に軸支する固定部材で前記断熱箱体に取り付けたことを特徴とする請求項１から７のいずれか一項に記載の冷蔵庫。
【請求項９】
キャスターのうち、後方側に備えられた後輪キャスターの対を一体に軸支する補強部材を有し、前記補強部材は、断熱箱体の側面断熱壁の最も後方側の前記側面断熱壁内に備えられた固定部材に固定されるものである請求項１から８のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むと共に、その使い勝手や収納性の向上が求められている。
【０００３】
従来のこの種の冷蔵庫は、冷蔵庫本体の底面部に冷蔵庫の運搬用と冷蔵庫本体の重量を支える為のキャスターが取り付けられているものがある（例えば、特許文献１参照）。
【０００４】
図１０は特許文献１に記載された従来の冷蔵庫の要部斜視図である。図１１は特許文献１に記載された従来の冷蔵庫の要部上面図である。
【０００５】
図に示すように、冷蔵庫本体である断熱箱体２１の背面下部には凹み部２０が設けられ、冷蔵庫本体の重量を支えるためのキャスター４部品（前輪２ヶ所、後輪２ヶ所）の内、後輪キャスター２３（２ヶ所）は断熱箱体２１を左右方向に支える補助板２３に取り付けられ、その補助板２３を冷蔵庫底面に取り付ける構成となっている。
【特許文献１】特開平８−２１０７５５号公報
【発明の開示】
【発明が解決しようとする課題】
【０００６】
しかしながら、上記従来の構成では、冷蔵庫の上部後方側に冷蔵庫の構成部品の中で比較的重量の重い物である圧縮機や凝縮器や冷媒配管や制御基板を収納し、冷蔵庫の重心位置が高くなった場合、冷蔵庫が傾きやすくなり、場合によっては転倒する可能性もあるといった問題があった。
【０００７】
床に対して通常４点支持されている冷蔵庫は、各支持点から重力方向に伸ばした４本の垂線の外側に重心が位置すれば転倒の可能性が生じる。このように、重心位置が高くなればなるほど冷蔵庫の設置傾きや外力による冷蔵庫傾斜に対して、少ない傾斜角度で転倒する可能性がある。
【０００８】
こういった場合、転倒までは至らない場合であっても、冷蔵庫が傾くことによって、特に圧縮機が配置されている背面側において冷蔵庫本体の重量を支えるための後輪キャスターに荷重が集中し、後輪キャスターやその取り付け部が変形することにより冷蔵庫が不安定な支持状態になり、より転倒の可能性が増すといった懸念があった。
【０００９】
本発明は、上記従来の課題を解決するもので、断熱箱体天面に圧縮機を設けた場合でも冷蔵庫本体の重量の不安定性を軽減し、さらなる転倒防止を図る冷蔵庫を提供することを目的とする。
【課題を解決するための手段】
【００１０】
上記従来の課題を解決するために、本発明の冷蔵庫は、断熱箱体と、前記断熱箱体の天面部の後方側に設けた凹み部と、前記凹み部内に備えられた圧縮機と、前記断熱箱体の下部に備えられ前記断熱箱体の重量を支えるとともに前記断熱箱体を設置面に対して水平方向に移動可能とする複数のキャスターとを有し、前記複数のキャスターのうち前記断熱箱体の最も後方側に備えられたキャスターは、前記断熱箱体の背面断熱壁もしくは側面断熱壁の少なくとも一方の最も後方側に備えられた固定部材に取り付けられたものである。
【００１１】
これによって、後方に設置したキャスターが断熱壁に備えられた固定部材で強固に軸支される為、冷蔵庫本体の後方への傾きに抗して支える配置構成となり、断熱箱体の天面に圧縮機を配設したことによって冷蔵庫本体の重心が高くなる場合でも、冷蔵庫の転倒に対する不安定性を軽減することができる。
【発明の効果】
【００１２】
本発明の冷蔵庫は、冷蔵庫本体の重心が高くなった冷蔵庫においても、転倒に対する不安定性を軽減することで、さらなる転倒防止を図ることができる。
【発明を実施するための最良の形態】
【００１３】
請求項１に記載の発明は、断熱箱体と、前記断熱箱体の天面部の後方側に設けた凹み部と、前記凹み部内に備えられた圧縮機と、前記断熱箱体の下部に備えられ前記断熱箱体の重量を支えるとともに前記断熱箱体を設置面に対して水平方向に移動可能とする複数のキャスターとを有し、前記複数のキャスターのうち前記断熱箱体の最も後方側に備えられたキャスターは、前記断熱箱体の背面断熱壁もしくは側面断熱壁の少なくとも一方の最も後方側に備えられた固定部材に取り付けられたものである。
【００１４】
これによって、圧縮機を断熱箱体上部後方の庫内側に凹ませた凹み部に配置して、冷蔵庫本体の全高を抑えながら特に下部貯蔵室の収納性や使い勝手の向上を図ろうとする冷蔵庫において、後方に設置したキャスターが断熱壁に備えられた固定部材で強固に軸支される為、冷蔵庫本体の後方への傾きに抗して支える配置構成となり、断熱箱体の天面に圧縮機を配設したことによって冷蔵庫本体の重心が高くなる場合でも、冷蔵庫の転倒に対する不安定性を軽減することができ、冷蔵庫本体の重心が高くなった冷蔵庫においても、転倒に対する不安定性を軽減することで、さらなる転倒防止を図ることができる。
【００１５】
請求項２に記載の発明は、請求項１に記載の発明において、前記断熱箱体は少なくとも二つ以上の断熱区画を設けてあり、最下部の断熱区画が引き出し式の最下段貯蔵室であるものである。
【００１６】
これによって、冷蔵庫の下段に引出し式の貯蔵室を有する場合、扉を開けると貯蔵室構造部品である引出し扉、収納ケース、引出しレール及び収納物が断熱箱体外部に飛び出す構成となり、冷蔵庫の重心は前方に移動すると共に冷蔵庫本体側の重量が軽くなるために、前方に転倒しやすい条件となるが、冷蔵庫の下段に引出し式の貯蔵室を備えた場合でも、圧縮機を天面の後方に備えることで冷蔵庫の前後方向の重心を背面側に位置させた上で、後輪キャスターの配置によって断熱箱体の背面側の転倒安定性を向上させたことで、本体の重心が高い冷蔵庫の転倒に対する背面側の不安定性を軽減することに加えて、冷蔵庫の転倒に対する前面側の不安定性も軽減することができる。
【００１７】
請求項３に記載の発明は、請求項１または２に記載の発明において、断熱箱体の最も後方側に備えられたキャスターを軸支する固定部材が前記断熱箱体の背面断熱壁の鉛直面に取り付けられたことにより、キャスターをより後方側に位置させることが可能となり、断熱箱体の天面に圧縮機を配設した、本体の重心が高い冷蔵庫の後方側への不安定性を軽減し、転倒防止を図ることができる。
【００１８】
請求項４に記載の発明は、請求項３に記載の発明において、キャスターを軸支する固定部材が断熱箱体の側面断熱壁の最も後方側の前記側面断熱壁から背面断熱壁に渡って一体として形成されたことにより、キャスターをより側面側に位置させることが可能となり、断熱箱体の天面に圧縮機を配設した、本体の重心が高い冷蔵庫の側面側の不安定性を軽減し、転倒防止を図ることができる。
【００１９】
請求項５に記載の発明は、請求項４に記載の発明において、前記キャスターを軸支する固定部材が前記断熱箱体の背面断熱壁と側面断熱壁が交差するコーナー部の鉛直面に渡って取り付けられたことにより、キャスターをより背面側でかつより側面側に位置させることが可能となり、断熱箱体の天面に圧縮機を配設した、本体の重心が高い冷蔵庫の背面側および側面側の不安定性を軽減し、転倒防止を図ることができる。
【００２０】
請求項６に記載の発明は、請求項１から５のいずれか一項に記載の発明において、前記キャスターを取り付ける補強部材を前記断熱箱体の中に取り付け、断熱材と一体発泡することにより、前記断熱箱体の構造強度を向上させると同時に、前記キャスターを取り付ける土台の役割を果たすことで冷蔵庫の不安定性を軽減し、転倒防止を図ることができる。
【００２１】
請求項７に記載の発明は、請求項１から６のいずれか一項に記載の発明において、前記キャスターを取り付ける補強部材を前記断熱箱体の外側に取り付けることにより、前記断熱箱体の構造強度を向上させると同時に、前記キャスターを取り付ける土台の役割を果たすことで冷蔵庫の不安定性を軽減し、転倒防止を図ることができる。
【００２２】
請求項８に記載の発明は、請求項１から７のいずれか一項に記載の発明において、前記キャスターは前輪キャスターおよび後輪キャスターの対を一体に軸支する固定部材で前記断熱箱体に取り付けたことで、前記断熱箱体の構造強度を向上させると同時に、前記キャスターを取り付ける土台の役割を果たすことで冷蔵庫の不安定性を軽減し、転倒防止を図ることができる。
【００２３】
請求項９に記載の発明は、請求項１から８のいずれか一項に記載の発明において、キャスターのうち、後方側に備えられた後輪キャスターの対を一体に軸支する補強部材を有し、前記補強部材は、断熱箱体の側面断熱壁の最も後方側の前記側面断熱壁内に備えられた固定部材に固定されるものである。
【００２４】
これによって、後方に設置したキャスターが断熱壁に備えられた固定部材に加えて、さらに後輪キャスターの対を一体に軸支することでより強固に軸支される為、冷蔵庫本体の後方への傾きに抗して支える配置構成となり、断熱箱体の天面に圧縮機を配設したことによって冷蔵庫本体の重心が高くなる場合でも、冷蔵庫の転倒に対する不安定性を軽減することができる。
【００２５】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２６】
（実施の形態１）
図１は、本発明の実施の形態１における冷蔵庫の概略断面図を示すものであり、図２は傾斜時の冷蔵庫概略断面図を示すものであり、図３，図４，図５，図６，図７，図８の（ａ）は同実施の形態における冷蔵庫の斜視図、（ｂ）は同実施の形態におけるキャスター取り付け部の詳細図であり、図９の（ａ）は同実施の形態における冷蔵庫の要部断面図、（ｂ）は同実施の形態におけるキャスター取り付け部の平面図である。なお、背景技術と同一構成については同一符号を付す。
【００２７】
図１において、断熱箱体１はＡＢＳなどの樹脂体を真空成型した内箱２４とプリコート鋼板などの金属材料を用いた外箱２５とで構成された空間に発泡断熱体２６を注入してなる断熱壁を備えている。
【００２８】
断熱箱体１は複数の断熱区画に区分されており上部を回転扉式、下部を引出し式とする構成をとってある。上から冷蔵室２、並べて設けた引出し式の切替室２７および製氷室２８と、引出し式の野菜室４と引出し式の冷凍室３となっている。上から冷蔵室回転扉５、切替室引出し扉２９、製氷室引出し扉３０、野菜室引出し扉７、冷凍室引出し扉６である。冷蔵室回転扉５には扉ポケット３１が収納スペースとして設けられており、庫内には複数の収納棚８が設けられてある。また冷蔵室２の最下部には貯蔵ケース３２が設けてある。断熱箱体１は天面部に天面後方部を窪ませた凹み部１０を設け、その中に圧縮機１６は、圧縮機１６に固着された脚１６ａに備えられた弾性部材６１を介して配置し、凹部カバー１５にて覆われている。また、弾性部材６１の中心部には貫通孔が設けられており、圧縮機１６に固着された脚１６ａと凹み部１０とはこの貫通孔を通したボルト等を用いて固設されている。
【００２９】
底面３３は冷蔵庫の設置支持点となる前輪キャスター３４が２点、後輪キャスター３５が２点設けられており、前輪キャスター３４および後輪キャスター３５は、冷蔵庫の転倒に対する安定性を向上させるために最大限キャスター間寸法を拡大している。
【００３０】
また、後輪キャスター３５の設置面である床面６０との接点３５ａが圧縮機１６と凹み部１０とを固定する複数の支持点のうち最も背面側に位置する背面支持点１６ｂの鉛直方向に下ろした垂線が床面６０と交わる交点１６ｃを含んで、この交点１６ｃよりも断熱箱体１の背面側に位置している。
【００３１】
この時、後輪キャスター３５の床面６０との接点３５ａは略円形状の後輪キャスター３５の場合は、後輪キャスター３５の回転中心軸から鉛直方向に下ろした垂線３５ｂの後輪キャスター下端部との接点である。
【００３２】
また、圧縮機１６と凹み部１０とを固定する複数の支持点とは、圧縮機１６に固着された脚１６ａと凹み部１０とをボルト等によって固着されているので、その固着部を指す。
【００３３】
以上のように構成された冷蔵庫について、以下その動作、作用を説明する。
【００３４】
断熱箱体１の天面後方部の凹み部１０に、冷蔵庫の構成部品の中で比較的重量物である圧縮機１６を配置した場合、冷蔵庫は重心位置が高くなり転倒しやすくなる。
【００３５】
図２に示すように、床に対してキャスター３６などで通常４点支持されている冷蔵庫は、各支持点から重力方向に伸ばした４本の垂線３７の外側に重心が位置すれば転倒の可能性が生じる。また、重心位置が高くなればなるほど冷蔵庫の設置傾きや外力による冷蔵庫傾斜に対して、少ない傾斜角度３８で転倒する可能性がある。
【００３６】
冷蔵庫の重心位置は庫内に収納物を入れて使用するため、収納状況によって異なるが、使い勝手の面から上段を回転扉式、下段を引出し式の貯蔵室とすると、上段貯蔵室である冷蔵室２の下端面３９はおおよそ７００〜１２００ｍｍの範囲にあり、これ以上高いと引出し式貯蔵室が非常に使いにくくなってしまう。また引出し式貯蔵室の間口寸法の取り合いから約１０００ｍｍとしていることも多い。
【００３７】
さらにまた、冷蔵庫奥行き寸法はおおむね６００〜７００ｍｍであり、冷蔵庫奥行き寸法の１／２の中心線４０と冷蔵室２の下端面との交点４１を定め、この交点を冷蔵庫傾斜に対してより安定化させることで転倒に対して安定性の向上を図ることができる。
【００３８】
キャスター３６の位置を冷蔵庫外郭から５０ｍｍ内側とし中心線４０との距離を２５０ｍｍとすると、最も高い冷蔵室２下端面３９の位置１２００ｍｍに対して床の傾斜角度３８が約１２°で、支持点から伸ばした重力方向の垂線３７の外側に交点４１が位置することになる。
【００３９】
よって図３に示すように、後輪キャスターの固定部材４２を断熱箱体背面壁４３の鉛直下に取り付ける構造をとることにより、後輪キャスター３５自体を断熱箱体背面壁４３の鉛直下に取り付けることができるため、断熱箱体の天面に圧縮機を配設した、本体の重心が高い冷蔵庫の前後左右方向の転倒に対して不安定性を軽減し、転倒防止を図ることができる。
【００４０】
また、本発明では後輪キャスター３５の床面６０との接点３５ａが圧縮機１６と凹み部１０とを固定する複数の支持点のうち最も背面側に位置する背面支持点１６ｂの鉛直方向に下ろした垂線が床面６０と交わる交点１６ｃを含んで、この交点１６ｃよりも断熱箱体１の背面側に位置しているので、圧縮機１６の断熱箱体１を固定する複数の支持点のすべてが後輪キャスターと床との接点の上下方向の垂線３５ｂよりも冷蔵庫の前面側に位置することとなり、断熱箱体１の天面に圧縮機１６を配設した本体の重心が高い冷蔵庫において、背面側の転倒に対する不安定性を軽減することができる。
【００４１】
これによって、圧縮機１６を断熱箱体１の上部後方の庫内側に凹ませた凹み部１０に配置して、冷蔵庫本体の全高を抑えながら特に下部貯蔵室である冷凍室３の収納性や使い勝手の向上を図ろうとする冷蔵庫において、圧縮機１６の上部後方配置による重心移動で後方への転倒が懸念されることに対して後輪キャスター３５が冷蔵庫本体の後方への傾きに抗する支えとなり、本体の重心が高い冷蔵庫の後方への転倒に対する不安定性を軽減することができるものである。
【００４２】
なお、本実施の形態においては、後輪キャスター３５の床面６０との接点３５ａが、少なくとも圧縮機１６を支持する最も背面側の背面支持点１６ｂの鉛直方向に下ろした垂線が床面６０と交わる交点１６ｃを含んで、この交点１６ｃよりも断熱箱体１の背面側となるように構成したが、後輪キャスター３５の前後方向の位置が、圧縮機１６自体の前後方向の位置よりも後方になるように設定することにより、断熱箱体１の後方への転倒不安定性に対して一層の安心感を与える構造となり得る。
【００４３】
このような構造は、凹み部１０内に収容する圧縮機１６の後方スペースに多少の余裕がないと構成しにくいものであるが、図３に示すような後輪キャスターの固定部材４２を断熱箱体の底面断熱壁から背面断熱壁４３の二面に渡って取り付け、また、背面断熱壁４３の最も後方側の鉛直下に直接（補強板等は含めても）取り付ける構造をとることにより可能となり、また、圧縮機１６を例えば奥行き方向の小型化が可能な回転式圧縮機等を採用することによって、圧縮機１６の後方スペースをこの目的のために一部引き当てることも可能である。
【００４４】
また図４に示すように、キャスターの固定部材４４を断熱箱体側面壁４５の鉛直下に取り付ける構造をとることにより、後輪キャスター３５自体を断熱箱体側面壁４５の鉛直下に取り付けることができるため、これによって、後方に設置したキャスターが断熱壁に備えられた固定部材で強固に軸支される為、冷蔵庫本体の後方への傾きに抗して支えることができ、断熱箱体の天面に圧縮機を配設した、本体の重心が高い冷蔵庫の前後左右方向の転倒に対して不安定性を軽減し、転倒防止を図ることができる。
【００４５】
また図５に示すように、キャスターの固定部材４６を断熱箱体背面壁４３と側面壁４５のコーナー部４７に取り付けることにより、断熱箱体背面壁４３と側面壁４５との二面に渡って備えることができ、後輪キャスター３５を断熱箱体コーナー部４７に取り付けることができるため、断熱箱体の天面に圧縮機を配設した、本体の重心が高い冷蔵庫の前後左右方向の転倒に対して不安定性を軽減し、転倒防止を図ることができる。
【００４６】
また、図４、図５のように固定部材を断熱箱体の壁面に備え、それにキャスターを固定することができるので、断熱体２６で一体発泡されている為に強度の大きい断熱箱体備えられた固定部材４２，４４にキャスターを固定することができ、よりキャスターを強固に軸支することにより冷蔵庫本体の後方への傾きに抗して支えることができる。
【００４７】
また図６に示すように、後輪キャスター３５を取り付ける補強部材４８を断熱箱体１の中に取り付け、断熱体２６と一体発泡することにより、前記断熱箱体１の構造強度を向上させると同時に、後輪キャスター固定部材４９を前記補強部材４８に取り付ける構造が取れ、後輪キャスター３５自体を断熱箱体背面壁４３と断熱箱体側面壁４５の固定部材の鉛直下に直接取り付けることができるため、最も荷重のかかりやすい後輪キャスター３５を断熱壁内部に備えられた固定部材４９で強固に軸支される為、断熱箱体の天面に圧縮機を配設した、本体の重心が高い冷蔵庫の前後左右方向の転倒に対して不安定性を軽減し、転倒防止を図ることができる。
【００４８】
また図７に示すように、後輪キャスター３５を取り付ける補強部材５０を断熱箱体１の外側に取り付けることにより、前記断熱箱体１の構造強度を向上させると同時に、後輪キャスター固定部材４９を前記補強部材５０に取り付ける構造が取れ、後輪キャスター３５自体を断熱箱体背面壁４３と断熱箱体側面壁４５の鉛直下に取り付けることができるため、断熱箱体の天面に圧縮機を配設した、本体の重心が高い冷蔵庫の前後左右方向の転倒に対して不安定性を軽減し、転倒防止を図ることができる。
【００４９】
また図８に示すように、前輪キャスター３４および後輪キャスター３５の対を一体に固定する補強部材５１を断熱箱体１の外側に取り付けることにより、前記断熱箱体１の構造強度を向上させると同時に、後輪キャスター固定部材４９を前記補強部材５１に取り付ける構造が取れ、後輪キャスター３５自体を断熱箱体背面壁４３と断熱箱体側面壁４５の鉛直下に取り付けることができるため、断熱箱体の天面に圧縮機を配設した、本体の重心が高い冷蔵庫の前後左右方向の転倒に対して不安定性を軽減し、転倒防止を図ることができる。
【００５０】
また、図９（ａ）に示すように後輪キャスター３５は断熱箱体側面壁４５の最も後方側備えられた固定部材５２に取り付けられているので、後方に設置した後輪キャスター３５が断熱壁内に備えられた固定部材５２で強固に軸支される為、冷蔵庫本体の後方への傾きに抗して支える配置構成となり、断熱箱体の天面に圧縮機を配設したことによって冷蔵庫本体の重心が高くなる場合でも、冷蔵庫の転倒に対する不安定性を軽減することができる。
【００５１】
また、図９（ｂ）に示すように後輪キャスター３５は断熱箱体側面壁４５の最も後方側に備えられた固定部材５２に取り付ける際に、後輪キャスター３５同士をつなぐ強度の高い鋼板からなる補強部材５３が備えられており、後輪キャスター３５はこの補強部材５３に取り付けられた上で、さらに断熱壁内に備えられた固定部材５２へ固定される為、断熱箱体が左右方向にねじれが発生した場合でも、後輪キャスター３５同士をつなぐ強度の高い鋼板からなる補強部材５３によって左右方向における強度を向上させることで、後輪キャスター３５同士のねじれ等によって特定のキャスターに荷重が集中するのを防ぎ、さらにこの補強部材５３を断熱壁内に備えられた固定部材５２に固定することで、後輪キャスター３５が強固に軸支される為、冷蔵庫本体の後方への傾きに抗して支える配置構成となり、断熱箱体の天面に圧縮機を配設したことによって冷蔵庫本体の重心が高くなる場合でも、冷蔵庫の転倒に対する不安定性を軽減することができる。
【００５２】
なお、上述の実施の形態ではキャスターを前後に備えた所謂４輪キャスターを備えた冷蔵庫について述べたが、冷蔵庫の容量がそれほど大きくない場合は、キャスターは少なくとも後輪の２輪があれば冷蔵庫の移動には支障がないため、前方の２輪は単なる固定脚であってもよい。
【００５３】
また、冷蔵庫の下部に引出し式の貯蔵室を有する場合、扉を開けると貯蔵室構造部品である引出し扉、収納ケース、引出しレール及び収納物が断熱箱体１外部に飛び出す構成となり、冷蔵庫の重心は前方に移動すると共に冷蔵庫本体側の重量が軽くなるために、前方に転倒しやすい条件となる。このように、重心位置が高ければ軽度の傾斜状態でも転倒しやすくなることが問題である。さらに引出し式貯蔵室が引き出された状態では、通常上から収納物の出し入れすることが多く、構成上引出し扉に力をかけられることがあるので、さらに転倒安定性向上が望まれる。またさらに引出し式の貯蔵室は通常取外し可能に設計されているので、下部にある引出し式貯蔵室が取外された場合に断熱箱体下部の重量が減少し、転倒しやすくなる。このように大幅な重量変化のある下部引出し貯蔵室を安定化させることは転倒防止に対して重要である。
【００５４】
よって本実施の形態では、下部に引出し式の貯蔵室である切替室２７および野菜室４および冷凍室３を備えているので、断熱箱体１の天面部の後方側に凹み部１０を設けるとともにこの凹み部１０に圧縮機を配設することで、冷蔵庫の前後方向の重心を背面側に位置させた上で、後輪キャスター３５の配置によって断熱箱体１の背面側の転倒安定性を向上させ、本体の重心が高い冷蔵庫の転倒に対する背面側の不安定性を軽減することに加えて、冷蔵庫の転倒に対する前面側の不安定性も軽減することができる。
【産業上の利用可能性】
【００５５】
本発明の冷蔵庫は、本体の重心が高い箱体の転倒防止を図ることができるので、業務用の大型冷蔵庫および冷凍庫やショーケースといった冷凍機器にも適用できる。
【図面の簡単な説明】
【００５６】
【図１】本発明の実施の形態１における冷蔵庫の概略断面図
【図２】同実施の形態を説明する傾斜時の冷蔵庫概略断面図
【図３】（ａ）同実施の形態における冷蔵庫の斜視図（ｂ）同実施の形態におけるキャスター取り付け部の詳細図
【図４】（ａ）同実施の形態における冷蔵庫の斜視図（ｂ）同実施の形態におけるキャスター取り付け部の詳細図
【図５】（ａ）同実施の形態における冷蔵庫の斜視図（ｂ）同実施の形態におけるキャスター取り付け部の詳細図
【図６】（ａ）同実施の形態における冷蔵庫の斜視図（ｂ）同実施の形態におけるキャスター取り付け部の詳細図
【図７】（ａ）同実施の形態における冷蔵庫の斜視図（ｂ）同実施の形態におけるキャスター取り付け部の詳細図
【図８】（ａ）同実施の形態における冷蔵庫の斜視図（ｂ）同実施の形態におけるキャスター取り付け部の詳細図
【図９】（ａ）同実施の形態における冷蔵庫の要部断面図（ｂ）同実施の形態におけるキャスター取り付け部の平面図
【図１０】従来の冷蔵庫の要部斜視図
【図１１】従来の冷蔵庫の要部上面図
【符号の説明】
【００５７】
１    断熱箱体
２    冷蔵室（上段貯蔵室）
３    冷凍室（最下段貯蔵室）
４    野菜室（下段貯蔵室）
１０  凹み部
１６  圧縮機
１６ａ  脚
１６ｂ  圧縮機の支持点のうち最も後方側に位置する支持点
１６ｃ，４１  交点
３４  前輪キャスター
３５  後輪キャスター
３５ａ  後輪キャスターと床面との接点
３６  キャスター
４２，４４，４６，４９，５２  後輪キャスター固定部材（固定部材）
４４  後輪キャスター固定部材
４７  コーナー部
４８，５０，５１，５３  補強部材
６０  床面（設置面）
【図１】
2006194575.tif 000003
【図２】
2006194575.tif 000004
【図３】
2006194575.tif 000005
【図４】
2006194575.tif 000006
【図５】
2006194575.tif 000007
【図６】
2006194575.tif 000008
【図７】
2006194575.tif 000009
【図８】
2006194575.tif 000010
【図９】
2006194575.tif 000011
【図１０】
2006194575.tif 000012
【図１１】
2006194575.tif 000013